(57)【要約】【課題】  シーケンスヘッダ情報にある「画像サイズ」および「アスペクト比」から映像表示サイズや切り出しサイズを決定して映像の再生を行うので、従来よりもデコード映像出力の最初に近い部分から表示することができるようにする。【解決手段】  放送受信装置は、シーケンスヘッダ情報にある「画像サイズ」および「アスペクト比」から映像表示サイズや切り出しサイズを決定して映像の再生を行うことにより、従来よりもデコード映像出力の最初に近い部分から表示する。【選択図】      図４
2008067231.tif 000002
【特許請求の範囲】
【請求項１】
符号化された映像ストリームであって画像サイズ情報およびアスペクト比情報を有する映像ストリームを受信し、この映像ストリームを復号した映像を表示手段に出力する放送受信装置において、
前記符号化された映像ストリームに含まれる画像サイズ情報およびアスペクト比情報を取得する手段と、
前記画像サイズ情報および前記アスペクト比情報を用いて映像表示サイズおよび切り出しサイズを推測する推測手段と、
この推測した映像表示サイズおよび切り出しサイズにて前記映像ストリームを復号し前記表示手段に出力する映像出力手段とを備えたことを特徴とする放送受信装置。
【請求項２】
前記画像サイズ情報および前記アスペクト比情報は、シーケンスヘッダ情報に含まれることを特徴とする請求項１記載の放送受信装置。
【請求項３】
前記符号化された映像ストリームにはシーケンスヘッダ拡張部情報が含まれており、
前記映像出力手段が前記表示手段に映像を出力した後に、前記シーケンスヘッダ拡張部情報中に含まれるディスプレイの活性領域情報から、映像表示サイズと切り出しサイズを決定する決定手段と、
前記映像出力手段が前記表示手段に出力している映像の映像表示サイズと切り出しサイズと、前記決定手段により決定した映像表示サイズと切り出しサイズとが異なる場合に、前記映像出力手段が前記表示手段に出力している映像を前記決定手段により決定した映像表示サイズと切り出しサイズに変えるよう制御する制御手段とを備えたことを特徴とする請求項１または２に記載の放送受信装置。
【請求項４】
前記表示手段を有することを特徴とする請求項１乃至３のいずれか１項記載の放送受信装置。
【請求項５】
符号化された映像ストリームであって画像サイズ情報およびアスペクト比情報を有する映像ストリームを受信し、この映像ストリームを復号した映像を表示手段に出力する放送受信方法において、
取得手段により前記符号化された映像ストリームに含まれる画像サイズ情報およびアスペクト比情報を取得し、
推測手段により前記画像サイズ情報および前記アスペクト比情報を用いて映像表示サイズおよび切り出しサイズを推測し、
映像出力手段により、前記推測した映像表示サイズおよび切り出しサイズにて前記映像ストリームを復号し前記表示手段に出力することを特徴とする放送受信方法。
【発明の詳細な説明】
【技術分野】
【０００１】
この発明は、放送受信装置に関し、特にデジタル放送を受信する放送受信装置および方法に関する。
【背景技術】
【０００２】
デジタル放送受信装置内には、ＭＰＥＧデコーダを有している。
従来のデコーダとしては、ＭＰＥＧデコーダがＮ番目のピクチャのデコードを開始すると、符号先読み制御手段を介してＮ＋１番目のピクチャの検出を行い、Ｎ＋１番目のピクチャのヘッダのデコードを行い、Ｎ番目のピクチャのデコードが終了すると、Ｎ＋１番目のヘッダによるピクチャのデコードを開始するという技術が知られている（例えば、特許文献１参照）。
【特許文献１】特開２００１−２９２４４７公報
【発明の開示】
【発明が解決しようとする課題】
【０００３】
従来、シーケンスヘッダ拡張部情報の「ディスプレイの活性領域情報」を取得してから映像再生を開始する処理を行っていたため、デコード映像出力が遅くなるという問題があった。
【０００４】
この発明は、シーケンスヘッダ情報にある「画像サイズ」および「アスペクト比」から映像表示サイズや切り出しサイズを決定して映像の再生を行うことにより、従来よりもデコード映像出力の最初に近い部分から表示することができる放送受信装置を提供することを目的とする。
【課題を解決するための手段】
【０００５】
上記の目的を達成するために、この発明においては、符号化された映像ストリームであって画像サイズ情報およびアスペクト比情報を有する映像ストリームを受信し、この映像ストリームを復号した映像を表示手段に出力する放送受信装置において、前記符号化された映像ストリームに含まれる画像サイズ情報およびアスペクト比情報を取得する手段と、前記画像サイズ情報および前記アスペクト比情報を用いて映像表示サイズおよび切り出しサイズを推測する推測手段と、この推測した映像表示サイズおよび切り出しサイズにて前記映像ストリームを復号し前記表示手段に出力する映像出力手段とを備えたことを特徴とする放送受信装置を提供する。
【０００６】
また、上記の目的を達成するために、この発明においては、符号化された映像ストリームであって画像サイズ情報およびアスペクト比情報を有する映像ストリームを受信し、この映像ストリームを復号した映像を表示手段に出力する放送受信方法において、取得手段により前記符号化された映像ストリームに含まれる画像サイズ情報およびアスペクト比情報を取得し、推測手段により前記画像サイズ情報および前記アスペクト比情報を用いて映像表示サイズおよび切り出しサイズを推測し、映像出力手段により、前記推測した映像表示サイズおよび切り出しサイズにて前記映像ストリームを復号し前記表示手段に出力することを特徴とする放送受信方法を提供する。
【０００７】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、シーケンスヘッダ情報にある「画像サイズ」および「アスペクト比」から映像表示サイズや切り出しサイズを決定して映像の再生を行うので、従来よりもデコード映像出力の最初に近い部分から表示することができる。
【発明を実施するための最良の形態】
【０００９】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤ（Digital Versatile Disk）レコーダ１２９等の機器を接続し、これらの機器と情報伝送を行なうために使用される。
【００１７】
なお、ＰＣ１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２０】
なお、ＰＣ１３３についてはコンテンツのサーバー機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２７】
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３１】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３２】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３３】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３４】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３５】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３６】
また、字幕放送による字幕を表示するとき、グラフィック処理部２５４は、制御部２６１からの制御信号および字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてＰＣ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５１】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
次に、上記構成における処理動作について説明する。
図３は、図２のデジタル放送受信システムの構成を簡略化して記載したブロック図である。図３において、デジタルチューナ３０１は、アンテナにより受信した信号を復調し、復調されたトランスポートストリームをＴＳデコーダ３０２へ出力する。
【００５３】
ＴＳデコーダ３０２は、トランスポートストリームをデパケットし、選択されている番組に関するパケットを抽出して、例えば映像、音声のエレメンタリーストリームの信号をＭＰＥＧデコーダ３０３へ出力する。
【００５４】
ＭＰＥＧデコーダ３０３は、ＭＰＥＧデコードした映像信号を映像表示部３０４へ出力し、映像表示部３０４はＭＰＥＧデコーダ３０３から入力された映像信号を表示する。
【００５５】
シーケンスヘッダ情報には、「画像サイズ」、「アスペクト比」の情報しかなく、映像の再生に十分な情報が含まれていない。
映像の再生には、シーケンスヘッダ情報に含まれる「画像サイズ」、「アスペクト比」情報のほかに、シーケンスヘッダ拡張部に含まれる「ディスプレイの活性領域」情報が必要となる。
【００５６】
（従来）
シーケンスヘッダ拡張部情報に含まれている「ディスプレイの活性領域」の情報が得られていないと、映像表示サイズや切り出しサイズが決定できないため、映像の再生を開始することができないため、従来は、シーケンスヘッダ拡張部情報取得後に映像の再生を開始する。
【００５７】
この従来の選局処理を図４（ｂ）に示す。
従来の選局処理では、「チューナ選局」→「シーケンスヘッダ情報取得」→「シーケンスヘッダ拡張部情報取得」→「映像の再生の開始」の順に映像再生処理を行う。
【００５８】
このように従来はシーケンスヘッダ拡張部情報を取得してから映像の再生を開始するため、デコード映像出力（ＭＰＥＧデコーダの出力）の最初の部分が表示されない。
【００５９】
（本発明）
これに対し、本願発明では図４（ａ）および図５に示す通り、シーケンスヘッダ情報にある「画像サイズ」および「アスペクト比」から、映像表示サイズや切り出しサイズが推測できた場合には、シーケンスヘッダ情報取得後に映像の再生を開始する。また、推測できなかった場合には従来と同様にシーケンスヘッダ拡張部情報取得後に映像の再生を開始する。
【００６０】
本発明の選局処理を図４（ａ）および図５に示す。
図４（ａ）は、本発明のＩピクチャ取得時に映像再生を開始する処理を示す図である。
図４（ｂ）は、従来のシーケンスヘッダ情報取得してから映像再生を開始する処理を示す図である。
図５は、信号処理の動作を示すフローチャートである。
本発明の選局処理では、「チューナ選局」→「シーケンスヘッダ情報取得」→「映像の再生の開始」→「シーケンスヘッダ拡張部情報取得」の順に映像再生処理を行う。
【００６１】
このように本発明ではチューナ選局（ステップＳ５０１）後、シーケンスヘッダ情報を取得（ステップＳ５０２）する。
シーケンスヘッダ情報にある「画像サイズ」および「アスペクト比」から、映像表示サイズや切り出しサイズが推測できたならば（ステップＳ５０３のＹｅｓ）、映像の再生処理を開始する（ステップＳ５０４）。
【００６２】
この後シーケンスヘッダ拡張部情報を取得し（ステップＳ５０５）、このシーケンスヘッダ拡張部情報に含まれている「ディスプレイの活性領域」の情報と、シーケンスヘッダ情報に含まれる「画像サイズ」と「アスペクト比」情報から、映像表示サイズや切り出しサイズを決定し（ステップＳ５０６）、この決定した映像表示サイズや切り出しサイズが上記ステップＳ５０３で推測したものと同じか比較することにより、推測は正しかったか判断する（ステップＳ５０７）。このステップＳ５０７で比較した結果、もし同じであれば（ステップＳ５０７のＹｅｓ）推測は正しかったので、特に映像の表示サイズや切り出しサイズを修正せず（ステップＳ５０８）、処理を終了する。反対に、ステップＳ５０７で比較した結果、もし同じでなければ（ステップＳ５０７のＮｏ）推測は正しくなかったので、上記ステップＳ５０６で求めた映像の表示サイズや切り出しサイズに修正し、これにあった表示を行い、処理を終了する。
【００６３】
上記ステップＳ５０３にて、映像表示サイズや切り出しサイズが推測できなければ（ステップＳ５０３のＹＥＳ）、シーケンスヘッダ拡張部情報を取得する（ステップＳ５１１）。そしてこのシーケンスヘッダ拡張部情報に含まれている「ディスプレイの活性領域」の情報と、シーケンスヘッダ情報に含まれる「画像サイズ」と「アスペクト比」情報から、映像表示サイズや切り出しサイズを決定し（ステップＳ５１２）、この決定した映像表示サイズや切り出しサイズに基づき映像の再生処理を開始し（ステップＳ５１３）、処理を終了する。
【００６４】
この発明によれば、シーケンスヘッダ情報にある「画像サイズ」および「アスペクト比」から映像表示サイズや切り出しサイズを決定して映像の再生を行うので、従来よりもデコード映像出力の最初に近い部分から表示することができる。
【００６５】
つまり、映像再生処理に掛かる時間の分、従来技術よりも早く映像を表示することができる。
本発明の映像表示サイズや切り出しサイズを推測する迄の流れは次の（１）〜（３）である。
（１）シーケンスヘッダ情報から「画像サイズ」および「アスペクト比」を取得。
（２）「ディスプレイの活性領域」および「プログレッシブ識別」を推測。
（３）映像表示サイズや切り出しサイズを推測。
以下、シーケンスヘッダ情報にある「画像サイズ」および「アスペクト比」から、映像表示サイズや切り出しサイズを推測する方法について説明する。
４８０ｉ映像信号には、通常の４：３信号／通常の１６：９信号／サイドパネル付きの４：３信号／レターボックスの１６：９信号は存在する。
４８０ｐ／１０８０ｉ／７２０ｐ映像信号には、通常の１６：９信号／サイドパネル付きの４：３信号は存在する。
４８０ｐ／１０８０ｉ／７２０ｐ映像信号には、通常の４：３信号／レターボックスの１６：９信号は存在しない。
信号解像度が４８０ｐ／１０８０ｉ／７２０ｐの場合、後「アスペクト比」が判れば、信号を特定することができる。
アスペクト比が１６：９であれば通常の１６：９信号、４：３であればサイドパネル付きの４：３信号と判断することができる。
「画像サイズ」の縦のライン数が１０８０であれば、信号解像度は１０８０ｉと推測できる。
また、「画像サイズ」の縦のライン数が７２０であれば、信号解像度は７２０ｐと推測できる。
このため、１０８０ｉ信号と７２０ｐ信号については、シーケンスヘッダ情報にある「画像サイズ」および「アスペクト比」から、映像表示サイズや切り出しサイズを推測することができるものである。
【００６６】
システムによっては、通常の１６：９信号とサイドパネル付きの４：３信号で、映像表示サイズや切り出しサイズが全く同じサイズになる場合があある。この場合は「アスペクト比」情報は不要なので、「画像サイズ」情報だけから、映像表示サイズや切り出しサイズを推測することができる。
【００６７】
「画像サイズ」の縦のライン数が４８０の場合は、信号解像度は４８０ｉもしくは４８０ｐの可能性があり、「アスペクト比」が判っていても、信号を特定することができない。但し、「画像サイズ」情報に加えて、シーケンスヘッダ拡張部情報の「プログレッシブ識別」情報を取得している場合は、信号解像度が４８０ｉなのか４８０ｐなのか判明します。
【００６８】
「画像サイズ」情報と「プログレッシブ識別」情報により、４８０ｐ信号と判明している場合には、１０８０ｉ信号と７２０ｐ信号と同様に、シーケンスヘッダ情報にある「画像サイズ」および「アスペクト比」から、映像表示サイズや切り出しサイズを推測することができる。
【００６９】
信号解像度が４８０ｉの場合、「アスペクト比」情報が判っていても、信号を特定することができない。
「画像サイズ」と「アスペクト比」の情報だけでは、通常の４：３信号とサイドパネル付きの４：３信号の区別ができない。また、同じように通常の１６：９信号とレターボックスの１６：９信号の区別もできない。
【００７０】
通常の４：３信号とサイドパネル付きの４：３信号では、映像表示サイズや切り出しサイズが異なるため、「信号解像度」および「アスペクト比」から、映像表示サイズや切り出しサイズを推測することができない。同じように、通常の１６：９信号とレターボックスの１６：９信号でも、映像表示サイズや切り出しサイズが異なるため、「信号解像度」および「アスペクト比」から、映像表示サイズや切り出しサイズを推測することができない。
【００７１】
まとめると、次のようになる。
１０８０ｉ信号と７２０ｐ信号については、「画像サイズ」と「アスペクト比」が判明していれば、映像表示サイズや切り出しサイズを推測することができる。
４８０ｐ信号については、「画像サイズ」と「アスペクト比」に加え「プログレッシブ識別」が判明していれば、映像表示サイズや切り出しサイズを推測することができきる。
【００７２】
４８０ｉ信号については、「画像サイズ」「アスペクト比」「プログレッシブ識別」が判明していても、「ディスプレイの活性領域」情報がない限り、映像表示サイズや切り出しサイズを推測することができない。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７４】
【図１】本発明のアクセス制御装置およびアクセス制御方法を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】図２のデジタル放送受信システムの構成を簡略化して記載したブロック図。
【図４】（ａ）は、本発明のＩピクチャ取得時に映像再生を開始する処理を示す図。（ｂ）は、従来のシーケンスヘッダ情報取得してから映像再生を開始する処理を示す図。
【図５】信号処理の動作を示すフローチャートである。
【符号の説明】
【００７５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008067231.tif 000003
【図２】
2008067231.tif 000004
【図３】
2008067231.tif 000005
【図４】
2008067231.tif 000006
【図５】
2008067231.tif 000007